(57)【要約】【課題】商品陳列棚を前後方向にスライドさせる場合における商品陳列室の横ブレを抑えることができ、さらに、その横ブレが原因となって商品陳列棚をスライド可能に支持するスライド機構が破損することを防止する。【解決手段】取付部９に取付けられて水平向きに延出するブラケット１５と、ブラケット１５に取付部に取付けられて水平向きに延出するブラケットと、前記ブラケットに上下に回動可能に連結されて傾斜角度を可変できる傾斜板１６と、傾斜板１６上に載置され、前後方向にスライド可能な商品陳列棚１７と、傾斜板１６に設けられた立上り部１６ｂと、商品陳列棚１７の下面に設けられ、立上り部１６ｂの側方に位置する突部３５と、を有し、商品陳列棚１７がスライドする場合に突部３５の側面が立上り部１６ｂに摺接する。【選択図】図６
2018202070.tif 000002
【特許請求の範囲】
【請求項１】
取付部に取付けられて水平向きに延出するブラケットと、
前記ブラケットに上下に回動可能に連結されて傾斜角度を可変できる傾斜板と、
前記傾斜板上に載置され、前後方向にスライド可能な商品陳列棚と、
前記傾斜板に設けられた立上り部と、
前記商品陳列棚の下面に設けられ、前記立上り部の側方に位置する突部と、を有し、
前記商品陳列棚がスライドする場合に前記突部の側面が前記立上り部に摺接することを特徴とする商品陳列装置。
【請求項２】
前記ブラケットは、前後方向に延出する側面部とこの側面部と平行な向きに屈曲した屈曲部を有し、前記傾斜板は、前記側面部と前記屈曲部とに外周側から当接する当接部を有することを特徴とする請求項１記載の商品陳列装置。
【請求項３】
前記傾斜板を上下方向に回動させて傾斜角度を可変した場合でも、前記当接部が前記側面部と前記屈曲部とに当接することを特徴とする請求項２記載の商品陳列装置。
【請求項４】
前面に開口が形成されて内部に商品陳列室が形成されたショーケース本体を有し、前記商品陳列室内に請求項１ないし請求項３のいずれか一項に記載の商品陳列装置が収容されていることを特徴とするショーケース。
【発明の詳細な説明】
【技術分野】
【０００１】
本発明の実施形態は、商品が陳列される商品陳列装置及びその商品陳列装置を備えたショーケースに関する。
【背景技術】
【０００２】
従来、商品を陳列するショーケースは、前面に開口が形成されて内部に商品陳列室が形成されたショーケース本体を有しており、商品陳列室内には商品が陳列される商品陳列装置が設けられている。商品陳列装置は、後端側がショーケース本体に連結されて水平方向前方に延出したブラケット、後端側が上下動する向きに回動可能にブラケットに取付けられた傾斜板、傾斜板上に載置されて前後方向にスライド可能な商品陳列棚等により構成されている（例えば、下記特許文献１参照）。
【先行技術文献】
【特許文献】
【０００３】
【特許文献１】特開２０１４−２３６７９２号公報
【発明の概要】
【発明が解決しようとする課題】
【０００４】
しかしながら、特許文献１に記載された商品陳列装置は、商品陳列棚を前後方向にスライドさせる際に商品陳列棚が横ブレしやすく、横ブレした商品陳列棚がショーケース本体の側板に当接し、側板を傷付けるということが発生し易い。また、商品陳列棚が横ブレすることにより、商品陳列棚をスライド可能に支持するスライド機構が破損することがある。
【０００５】
本発明の目的は、商品陳列棚を前後方向にスライドさせる場合における商品陳列棚の横ブレを抑えることができ、さらに、その横ブレが原因となって商品陳列棚をスライド可能に支持するスライド機構が破損することを防止することができる商品陳列装置を提供することである。
【課題を解決するための手段】
【０００６】
実施形態の商品陳列装置は、取付部に取付けられて水平向きに延出するブラケットと、ブラケットに上下に回動可能に連結されて傾斜角度を可変できる傾斜板と、傾斜板上に載置され、前後方向にスライド可能な商品陳列棚と、傾斜板に設けられた立上り部と、商品陳列棚の下面に設けられ、立上り部の側方に位置する突部と、を有し、商品陳列棚がスライドする場合に突部の側面が立上り部に摺接する。
【図面の簡単な説明】
【０００７】
【図１】ショーケースをその一部を破断にして示す側面図である。
【図２】ブラケットを示す斜視図である。
【図３】傾斜板を示す斜視図である。
【図４】ブラケットと傾斜板と商品陳列棚とが連結され、傾斜板が第１傾斜位置に位置する状態を示す側面図である。
【図５】ブラケットと傾斜板と商品陳列棚とが連結され、傾斜板が第２傾斜位置に位置する状態を示す側面図である。
【図６】ブラケットと傾斜板と商品陳列棚とが連結され、傾斜板が第１傾斜位置に位置する状態を示す縦断正面図である。
【図７】ブラケットと傾斜板と商品陳列棚とが連結され、傾斜板が第２傾斜位置に位置する状態を示す縦断正面図である。
【発明を実施するための形態】
【０００８】
以下、一実施形態について図面に基づいて説明する。図１は本実施形態のショーケース１をその一部を破断して示す側面図である。ショーケース１は、前面に開口２が形成されるとともに内部に商品陳列室３が形成され、さらに、商品陳列室３の周囲にダクト４が形成されたショーケース本体５を有している。商品陳列室３とダクト４との間は、天板６、背面板７、底板８により仕切られている。背面板７には、上下方向に延出する複数の取付部９が設けられている。
【０００９】
ダクト４内には、送風機１０と冷却器１１とが収容されている。送風機１０はダクト４内の空気を送風し、送風された空気は冷却器１１により冷やされて冷気となり、この冷気はダクト４内を矢印で示す方向に流れる。そして、ダクト４内を流れた冷気はダクト４の上部に形成された吹出口１２から下向きに吹出し、開口２を覆うエアカーテンとなる。吹出口１２から吹出した冷気はダクト４の下部に形成された吸込口１３からダクト４内に吸込まれ、吸い込まれた冷気は再び冷却器１１により冷却される。
【００１０】
商品陳列室３内には、複数段の商品陳列装置１４が上下方向に配列されている。商品陳列装置１４は、後述するように、水平向きに延出した左右一対のブラケット１５、ブラケット１５に取付けられた傾斜板１６、傾斜板１６上に載置された商品陳列棚１７、商品陳列棚１７を前後方向にスライドさせる伸縮可能なスライド機構１８等により構成されている。
【００１１】
図２は、ブラケット１５を示す斜視図である。ブラケット１５は、前後方向に延出する板状の側面部１９と、側面部１９から側方に張り出した張出部２０と、張出部２０の先端側から側面部１９と平行な方向である上向きに屈曲した屈曲部２１とを有している。側面部１９の後端側には複数の係止爪２２が形成され、これらの係止爪２２を取付部９に形成された係止孔（図示せず）に係止することにより、ブラケット１５が取付部９に取付けられている。また、側面部１９の後端側下部には、側方に屈曲したリブ２３が形成されている。このリブ２３は、ブラケット１５を取付部９に取付けた場合に取付部９の正面に当たり、リブ２３が取付部９の正面に当たることにより、ブラケット１５が横ブレすることが防止されている。
【００１２】
図３は、傾斜板１６を示す斜視図である。傾斜板１６は、断面形状がコの字型に形成された部材であり、ブラケット１５を上方から覆うようにブラケット１５に取付けられる。そして、傾斜板１６は、ブラケット１５に取付けた場合に側面部１９の外周面に当接する第１当接部２４と、屈曲部２１の外周面に当接する第２当接部２５と、第１当接部２４と第２当接部２５を繋ぐ部分である連結部２６とを有している。なお、連結部２６は、平面部２６ａと、平面部２６ａから上方に立上った立上り部２６ｂとから構成されている。平面部２６ａには、樹脂製で表面が平滑な複数枚の滑走板２７がネジ止めされている。
【００１３】
第１当接部２４の先端側には、逆への字形状のスライド孔２８が形成されている。このスライド孔２８は、第１当接部２４の先端側に向けて上向きに傾斜する第１スライド部２８ａと、第１当接部２４の後端側に向けて上向きに傾斜する第２スライド部２８ｂとにより構成されている。
【００１４】
図４は、ブラケット１５と傾斜板１６と商品陳列棚１７とが連結され、傾斜板１６が第１傾斜位置に位置する状態を示す側面図である。傾斜板１６はブラケット１５に上下回動可能に連結されており、ブラケット１５と傾斜板１６との連結は、後端側がリンク部材２９により連結され、前端側が傾斜板１６に形成したスライド孔２８にブラケット１５に固定したピン３０を係止することにより行われている。なお、リンク部材２９の一端側は支軸３１によりブラケット１５に回動可能に連結され、リンク部材２９の他端側は支軸３２により傾斜板１６に回動可能に連結されている。また、ピン３０はスライド孔２８に沿ってスライド可能とされている。傾斜板１６が第１傾斜位置に位置する場合、傾斜板１６と商品陳列棚１７とは略水平向きに位置しており、第２スライド部２８ｂの先端側の縁部がピン３０の上に載っている。
【００１５】
また、ブラケット１５の内側には前後方向に伸縮可能なスライド機構１８が配置されており、スライド機構１８の後端側がブラケット１５の後端側に連結され、スライド機構１８の先端側が商品陳列棚１７の先端側に連結され、商品陳列棚１７は傾斜板１６上に載置されている。図４に示した状態から商品陳列棚１７に対してブラケット１５の先端側に向けて引っ張る向きの力を加えると、スライド機構１８が前方側に延びるとともに商品陳列棚１７が滑走板２７の上を滑りながら前方側にスライドする。
【００１６】
図５は、ブラケット１５と傾斜板１６と商品陳列棚１７とが連結され、傾斜板１６の傾斜角度が第１傾斜位置から可変した第２傾斜位置に位置する状態を示す側面図である。傾斜板１６が第２傾斜位置に位置する場合、傾斜板１６と商品陳列棚１７とが後端側を上方に移動させる向きに回動しており、第２スライド部２８ｂの先端側の縁部がピン３０の上に載っている。
【００１７】
図６は、ブラケット１５と傾斜板１６と商品陳列棚１７とが連結され、傾斜板１６が第１傾斜位置に位置する状態を示す縦断正面図である。ブラケット１５は、側面部１９と屈曲部２１とを有し、側面部１９の内側（ブラケット１５の内側）にスライド機構１８が配置されている。商品陳列棚１７の先端側には下方に延出した延出部３３が設けられており、この延出部３３とスライド機構１８の先端部とが連結ピン３４により回動可能に連結されている。
【００１８】
傾斜板１６は、側面部１９の外周面に当接する第１当接部２４と、屈曲部２１の外周面に当接する第２当接部２５と、平面部２６ａと、立上り部２６ｂとを有している。平面部２６ａには、滑走板２７がネジ止めされている。商品陳列棚１７の下面には平板状の突部３５が設けられており、商品陳列棚１７が前後方向にスライドする場合に突部３５の下面が滑走板２７の上面に摺接するようになっている。また、突部３５の一方の側面が傾斜板１６の立上り部２６ｂの側面に対向しており、商品陳列棚１７が前後方向にスライドする場合に突部３５の一方の側面が立上り部２６ｂの側面に摺接するようになっている。
【００１９】
図７は、ブラケット１５と傾斜板１６と商品陳列棚１７とが連結され、傾斜板１６が第２傾斜位置に位置する状態を示す縦断正面図である。第１当接部２４と第２当接部２５との上下方向の長さ寸法は、傾斜板１６が第２傾斜位置に位置する場合でも、第１当接部２４の少なくとも一部が側面部１９の外周面に当接し、第２当接部２５の少なくとも一部が屈曲部２１の外周面に当接する長さ寸法に形成されている。
【００２０】
このような構成において、このショーケース１では、送風機１０が駆動されることによりダクト４内を空気が流れ、冷却器１１が駆動されることによりダクト４内を流れる空気が冷やされて冷気となる。そして、ダクト４内を流れる冷気が吹出口１２から吹き出して開口２を覆う冷気のエアカーテンとなり、このエアカーテンによって商品陳列棚１７上に陳列されている商品が冷やされる。
【００２１】
商品陳列棚１７は傾斜板１６上に載置されており、傾斜板１６を回動させて図４に示すように略水平向きとなる第１傾斜位置に位置させることにより、商品陳列棚１７も略水平向きの姿勢となる。一方、傾斜板１６を回動させて図５に示すように後方上がりとなる第２傾斜位置に位置させることにより、商品陳列棚１７も後方上がりの姿勢となる。
【００２２】
つぎに、傾斜板１６を図４に示した第１傾斜位置から図５に示した第２傾斜位置に変更する方法について説明する。図４に示すように傾斜板１６が第１傾斜位置に位置する場合には、第２スライド部２８ｂの先端側の縁部がピン３０の上に載っているだけである。そこで、傾斜板１６を後方向き（矢印Ａ方向）に押すと、傾斜板１６が後方側へ移動するとともにピン３０が第２スライド部２８ｂに沿って移動し、リンク部材２９の傾斜板１６に連結されている部分が上方に移動する。そして、ピン３０が第２スライド部２８ｂの最下部まで移動した後に、傾斜板１６から手を離すと、傾斜板１６は自重により下方へ移動し、図５に示すように第１スライド部２８ａの先端側の縁部がピン３０の上に載り、傾斜板１６は第２傾斜位置に位置することになる。
【００２３】
図５に示すように第２傾斜位置に位置する傾斜板１６を図４に示す第１傾斜位置に変更する場合には、図５に示すように傾斜板１６を上向き（矢印Ｂ方向）に押す。これにより、傾斜板１６が上方に移動して第１スライド部２８ａの先端部の縁部がピン３０の上に載った状態が解除され、ピン３０が第１スライド部２８ａに沿って下方に移動する。そして、ピン３０が第１スライド部２８ａの下端側に位置した後に上向きに押す力を弱めると、傾斜板１６は自重により下方へ移動するとともにピン３０は第２スライド部２８ｂの先端側に移動し、リンク部材２９はその上部側が手前側に移動するように回動し、図４に示す第１傾斜位置に戻る。
【００２４】
つぎに、図６及び図７に示すように、商品陳列棚１７の下面には平板状の突部３５が設けられており、突部３５の一方の側面が傾斜板１６の立上り部２６ｂの側面に対向しており、商品陳列棚１７が前後方向にスライドする場合に突部３５の一方の側面が立上り部２６ｂの側面に摺接するようになっている。このため、商品陳列棚１７を前後方向にスライドさせる際に商品陳列棚１７が横ブレすることを抑えることができ、横ブレした商品陳列棚１７がショーケース本体５の側板に接触して側板を傷付けるということを防止することができる。さらに、商品陳列棚１７の横ブレが抑えられるため、商品陳列棚１７が横ブレすることが原因となって生じるスライド機構１８の破損を防止することができる。
【００２５】
また、傾斜板１６には、ブラケット１５に取付けた場合に側面部１９の外周面に当接する第１当接部２４と、屈曲部２１の外周面に当接する第２当接部２５とが形成されている。このため、傾斜板１６と商品陳列棚１７とがブラケット１５に対しして横ブレすることを防止することができ、商品陳列棚１７を前後方向にスライドさせる際の横ブレをより一層抑えることができる。
【００２６】
しかも、第１当接部２４と第２当接部２５との上下方向の長さ寸法は、傾斜板１６が第２傾斜位置に位置する場合でも、第１当接部２４の少なくとも一部が側面部１９の外周面に当接し、第２当接部２５の少なくとも一部が屈曲部２１の外周面に当接する長さ寸法に形成されている。このため、傾斜板１６を第１傾斜位置と第２傾斜位置とのいずれの位置に傾けている場合でも、第１・第２当接部２４、２５による商品陳列棚１７の横ブレの抑制効果を維持することができる。
【００２７】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２８】
１…ショーケース、２…開口、３…商品陳列室、５…ショーケース本体、９…取付部、１４…商品陳列装置、１５…ブラケット、１６…傾斜板、１７…商品陳列棚、１９…側面部、２１…屈曲部、２４…第１当接部、２５…第２当接部、２６ｂ…立上り部、３５…突部
【図１】
2018202070.tif 000003
【図２】
2018202070.tif 000004
【図３】
2018202070.tif 000005
【図４】
2018202070.tif 000006
【図５】
2018202070.tif 000007
【図６】
2018202070.tif 000008
【図７】
2018202070.tif 000009